(57)【要約】【課題】ふたつのうちわをそれぞれの柄に設けたねじを利用して反対向きに連結して、ひとりが扇ぐと対面にいる人間も同時に扇げるようにしたうちわである。【解決手段】うちわ（１）の柄（２）に雌のねじ山（３）を、又、うちわ（４）の柄（５）に雄のねじ山（６）を設け、このねじを利用してふたつのうちわを反対向きに連結し、ひとりが扇げば、対面にいる人も同時に扇げる。尚、普段は連結せずにそれぞれ単独で使用することもできる。【選択図】図２
2005087709.tif 000002
【特許請求の範囲】
【請求項１】
うちわ（１）の柄（３）を中空にして雌ねじ（５）を、又、うちわ（２）の柄（４）に雄ねじ（６）を設け、このねじを利用してふたつのうちわを反対向きに連結して使用するうちわであり、普段は連結せずにそれぞれ単独で使用することもできるものである。
尚、連結の方法としては、請求項２と請求項３の方法も考えられ、これら請求項１と請求項２と請求項３に類似した方法全てを包括するものとする。
【請求項２】
うちわ（１）の柄（３）にはめ込み式ボタン用の突起物（７）を、又、うちわ（２）の柄（４）にはめ込み式ボタン用の穴（８）を設け、この突起物（７）を穴（８）にはめ込むことにより、ふたつのうちわを反対向きに連結して使用するうちわであり、普段は連結せずにそれぞれ単独で使用することもできるものである。
【請求項３】
うちわ（１）の柄（３）を、両端（９）（１０）を開口にした立方体状の中空軸とし、又、うちわ（２）の柄（４）はうちわ（１）の柄（３）の中空内にちょうど収まる太さの立方体状にし、その先端（１１）は二股に分け外方向に突起する鍵状（１２）にし、更に、その鍵状の先端にそれぞれ突起物（１３）を設け、うちわ（１）の柄（３）の開口部（９）から、うちわ（２）の柄（４）を奥まで差し込み、開口部（１０）からうちわ（２）の柄（４）の先端が出た時に、鍵状（１２）の先が広がり引っかかることにより固定し連結できるようにしたものである。尚、うちわ（２）の柄（４）の最先端の突起物（１３）を摘むことにより、鍵状（１２）の先がはずれ、うちわ（１）とうちわ（２）を切り離すことができ、それぞれ単独で使用することができる。
【発明の詳細な説明】
【発明の詳細な説明】
【技術分野】
【０００１】この発明は、ふたつのうちわをそれぞれの柄に設けたねじやボタンや鍵状の引っかかり等を利用して反対向きに連結して、ひとりが扇ぐと対面にいる人間も同時に扇げるようにしたうちわに関するものである。
【背景技術】
【０００２】従来は、ひとりひとりがうちわを持って扇ぐか、又は、交代で扇ぐしかなかった。
【発明が解決しようとする課題】
【０００３】これは、次のような欠点があった。
（イ）対面にいる人が赤ちゃんや幼児だとひとりで扇げない。
（ロ）対面にいる人が寝てしまっていると扇げない。
【課題を解決するための手段】
【０００４】（イ）うちわ（１）の柄（２）に雌のねじ山（３）を、又、うちわ（４）の柄（５）に雄のねじ山（６）を設け、このねじを利用してふたつのうちわを反対向きに連結し、ひとりが扇げば、対面にいる人も同時に扇げる。
普段は連結せずにそれぞれ単独で使用することもできる。
尚、連結の方法として後述（ロ）（ハ）も記載することとし、（イ）（ロ）（ハ）に類似した方法全てを含めることとする。
（ロ）うちわ（１）の柄（３）にはめ込み式ボタン用の突起物（７）を、又、うちわ（２）の柄（４）にはめ込み式ボタン用の穴（８）を設け、この突起物（７）を穴（８）にはめ込むことにより、ふたつのうちわを反対向きに連結しちわである。
（ハ）うちわ（１）の柄（３）を、両端（９）（１０）を開口にした立方体状の中空軸とし、又、うちわ（２）の柄（４）はうちわ（１）の柄（３）の中空内にちょうど収まる太さの立方体状にし、その先端（１１）は二股に分け外方向に突起する鍵状（１２）にし、更に、その鍵状の先端にそれぞれ突起物（１３）を設け、うちわ（１）の柄（３）の開口部（９）から、うちわ（２）の柄（４）を奧まで差し込み、開口部（１０）からうちわ（２）の柄（４）の先端が出た時に、鍵状（１２）の先が広がり引っかかることにより固定し連結できるようにしたものである。
尚、うちわ（２）の柄（４）の最先端の突起物（１３）を摘むことにより、鍵状（１２）の先がはずれ、うちわ（１）とうちわ（２）を切り離すことができるものである。
本発明は、以上のような構成からなる連結式のうちわに関するものである。
【発明を実施するための最良の形態】
【０００５】以下、本発明の実施の形態について説明する。
（イ）前述
【課題を解決するための手段】
の（イ）記載のねじ式による連結の場合。
うちわ（１）の柄（２）に雌のねじ山（３）を、又、うちわ（４）の柄（５）に雄のねじ山（６）を設け、このねじを利用してふたつのうちわを反対向きに連結する。
（ロ）前述
【課題を解決するための手段】
の（ロ）記載のボタン式による連結の場合。
うちわ（１）の柄（３）にはめ込み式ボタン用の突起物（７）を、又、うちわ（２）の柄（４）にはめ込み式ボタン用の穴（８）を設け、この突起物（７）を穴（８）にはめ込むことにより、ふたつのうちわを反対向きに連結する。
（ハ）前述
【課題を解決するための手段】
の（ハ）記載の鍵式による連結の場合。
うちわ（１）の柄（３）を、両端（９）（１０）を開口にした立方体状の中空軸とし、又、うちわ（２）の柄（４）はうちわ（１）の柄（３）の中空内にちょうど収まる太さの立方体状にし、その先端（１１）は二股に分け外方向に突起する鍵状（１２）にし、更に、その鍵状の先端にそれぞれ突起物（１３）を設け、うちわ（１）の柄（３）の開口部（９）から、うちわ（２）の柄（４）を奥まで差し込み、開口部（１０）からうちわ（２）の柄（４）の先端が出た時に、鍵状（１２）の先が広がり引っかかることにより固定し連結できるようにしたものである。尚、うちわ（２）の柄（４）の最先端の突起物（１３）を摘むことにより、鍵状（１２）の先がはずれ、うちわ（１）とうちわ（２）を切り離すことができる。
（ニ）このうちわを利用してひとりが扇げば、対面にいる人も同時に扇げる。
（ホ）尚、普段は連結せずにそれぞれ単独で使用することもできる。
【発明の効果】
【０００６】対面にいる人が赤ちゃんや幼児でも、あるいは、寝ていても、ひとりがこのうちわを使って扇げば、対面にいる人も同時に扇げる。
【図面の簡単な説明】
【図１】ねじ式のうちわ（１）とうちわ（２）の断面図である。
【図２】うちわ（１）とうちわ（２）をねじを利用して連結した時の断面図である。
【図３】ボタン式のうちわ（１）とうちわ（２）の斜視図である。
【図４】うちわ（１）とうちわ（２）をボタンを利用して連結した時の斜視図である。
【図５】うちわ（１）の柄（３）に鍵式のうちわ（２）の柄（４）を挿入した時の断面図である。
【図６】うちわ（１）とうちわ（２）を鍵式の先を利用して連結した時の断面図である。
【符号の説明】
１  うちわ
２  うちわ
３  柄
４  柄
５  雌ねじ
６  雄ねじ
７  はめ込み式ボタン用突起物
８  はめ込み式ボタン用穴
９  開口部
１０  開口部
１１  先端部
１２  鍵状の先
１３  突起物
【図１】
2005087709.tif 000003
【図２】
2005087709.tif 000004
【図３】
2005087709.tif 000005
【図４】
2005087709.tif 000006
【図５】
2005087709.tif 000007
【図６】
2005087709.tif 000008